(57)【特許請求の範囲】
【請求項１】
外側厚紙とこの外側厚紙に貼着された内側厚紙とからなる一対の複合厚紙が、前記内側厚紙が向かい合うように重ね合わされて接着された厚紙体を備え、
前記内側厚紙は、収納すべきディスクと同じ厚みかあるいは収納すべきディスクよりも大きい厚みを有し、
前記一対の複合厚紙のうちの一方の複合厚紙の内側厚紙部分にディスク収納用の第１ディスク収納用欠部が形成され、
前記一対の複合厚紙のうちの他方の複合厚紙の内側厚紙部分にディスク収納用の第２ディスク収納用欠部が形成され、
前記第１ディスク収納用欠部と第２ディスク収納用欠部は、前記一対の複合厚紙の内側厚紙が向かい合うように重ね合わされて接着された状態において、互いにずれた箇所で、かつ、各第１ディスク収納用欠部と第２ディスク収納用欠部にそれぞれ収納されるディスクの外周部の一部が、平面視した場合に、重なる箇所に形成され、
前記一方の複合厚紙の内側厚紙部分と外側厚紙部分に、前記第２ディスク収納用欠部に収納されたコンパクトディスクの部分を露出させる露出用窓が形成されている、
ことを特徴とするディスク収納体。
【請求項２】
前記ディスクはコンパクトディスクであり、前記第１、第２ディスク収納用欠部は、コンパクトディスクが収容される大きさの矩形に形成されている請求項１記載のディスク収納体。
【請求項３】
前記一方の複合厚紙の外側厚紙部分に、前記第１ディスク収納用欠部に収納されたコンパクトディスクの部分を露出させる露出用窓が形成されている請求項１記載のディスク収納体。
【請求項４】
前記一方の複合厚紙の内側厚紙部分に形成された露出用窓と前記第１ディスク収納用欠部とは一部において繋がっている請求項１記載のディスク収納体。
【請求項５】
前記一方の複合厚紙の外側厚紙部分に、前記第１ディスク収納用欠部とほぼ同じ輪郭で、或いは、第１ディスク収納用欠部の内側部分に、開閉蓋用切り取り線が形成されている請求項１記載のディスク収納体。
【請求項６】
前記他方の複合厚紙の外側厚紙部分に、前記第２ディスク収納用欠部とほぼ同じ輪郭で、或いは、第２ディスク収納用欠部の内側部分に、開閉蓋用切り取り線が形成されている請求項１記載のディスク収納体。
【請求項７】
本の本文を構成する紙と共に製本される綴じ代が前記厚紙体に屈曲可能に連設されている請求項１記載のディスク収納体。
【請求項８】
前記ディスクはコンパクトディスクであり、コンパクトディスクは袋に挿入された状態で前記ディスク収納用欠部に収納されている請求項１記載のディスク収納体。
【請求項９】
前記ディスクを前記ディスク収納用欠部に収納した状態に保持する保持手段が設けられている請求項１記載のディスク収納体。
【請求項１０】
前記保持手段は、粘着テープである請求項９記載のディスク収納体。
【請求項１１】
前記厚紙体は、横長の一枚の複合厚紙が折り畳まれ接着されて構成されている請求項１記載のディスク収納体。
【請求項１２】
前記ディスクはコンパクトディスクであり、前記第１、第２ディスク収納用欠部は天地方向に並べて配置され、第１ディスク収納用欠部に収納されるコンパクトディスクの下端と、第２ディスク収納用欠部に収納されるコンパクトディスクの上端が、平面視した場合に重なる請求項１記載のディスク収納体。
【発明の詳細な説明】
【０００１】
【産業上の利用分野】
本発明はコンパクトディスクやフロッピーディスク等のような記録媒体であるディスクを収納するディスク収納体に関し、更に詳細には、本を構成する紙の間に綴じ込まれて好適なディスク収納体に関する。
【０００２】
【従来の技術】
コンパクトディスクやフロッピーディスク、ＣＤーＲＯＭ、ＣＤーＩ等のような記録媒体であるディスクは、近年、ＣＤブックやＦＤブック等のような形態をとり、例えば、本を構成する紙の間に収納されて市場に流通し始めつつある。
そして、簡便な収納構造として、実開平４ー２１４９１号等に開示されるように、袋にディスクを収納したものや、或は、凹部を形成した厚紙を設け、この凹部にトレイを嵌込み、このトレイにディスクを収納したもの等が知られている。
【０００３】
【発明が解決しようとする課題】
しかしながら、袋にディスクを収納する構成では、製本時に、ディスクの上面及び下面に位置する紙にディスクの輪郭に沿った線が形成され、本を劣化させる不具合や、束ねて取り扱う際、ディスクが収納された部分が他の部分よりも厚くなるため、少量ずつしか束ねられず、また、少量ずつしか積み重ねられず、その取り扱いが面倒になる不具合がある。
また、トレイを用いる構成では、製品を劣化させる不具合や取り扱い時の不具合を解消できるものの、トレイを用いるためコスト高となる不具合がある。
更に、例えば、Ｂ５サイズの本の中に、二枚のコンパクトディスクを平面的に並べて収納しようとした場合、二枚のコンパクトディスクを収納するトレイは本の天地方向の寸法が大きくなり、Ｂ５サイズの本には二枚のコンパクトディスクを収納できない不具合があった。
【０００４】
本発明は前記事情に鑑み案出されたものであって、本発明の目的は、コストダウンを図り、本の外観を劣化することなくディスクを収納でき、取り扱いを簡単に行なえ、更には、二枚のコンパクトディスクをＢ５サイズの本の内部に平面的に並べて収納できるディスク収納体を提供することにある。
【０００５】
【課題を解決するための手段】
前記目的を達成するため、本発明は、外側厚紙とこの外側厚紙に貼着された内側厚紙とからなる一対の複合厚紙が、前記内側厚紙が向かい合うように重ね合わされて接着された厚紙体を備え、前記内側厚紙は、収納すべきディスクと同じ厚みかあるいは収納すべきディスクよりも大きい厚みを有し、前記一対の複合厚紙のうちの一方の複合厚紙の内側厚紙部分にディスク収納用の第１ディスク収納用欠部が形成され、前記一対の複合厚紙のうちの他方の複合厚紙の内側厚紙部分にディスク収納用の第２ディスク収納用欠部が形成され、前記第１ディスク収納用欠部と第２ディスク収納用欠部は、前記一対の複合厚紙の内側厚紙が向かい合うように重ね合わされて接着された状態において、互いにずれた箇所で、かつ、各第１ディスク収納用欠部と第２ディスク収納用欠部にそれぞれ収納されるディスクの外周部の一部が、平面視した場合に、重なる箇所に形成され、前記一方の複合厚紙の内側厚紙部分と外側厚紙部分に、前記第２ディスク収納用欠部に収納されたコンパクトディスクの部分を露出させる露出用窓が形成されていることを特徴とする。
【０００６】
また、本発明は、前記ディスクがコンパクトディスクであり、前記第１、第２ディスク収納用欠部は、コンパクトディスクが収容される大きさの矩形に形成されていることを特徴とする。
また、本発明は、前記一方の複合厚紙の外側厚紙部分に、前記第１ディスク収納用欠部に収納されたコンパクトディスクの部分を露出させる露出用窓が形成されていることを特徴とする。
また、本発明は、前記一方の複合厚紙の内側厚紙部分に形成された露出用窓と前記第１ディスク収納用欠部とは一部において繋がっていることを特徴とする。
【０００７】
また、本発明は、前記一方の複合厚紙の外側厚紙部分に、前記第１ディスク収納用欠部とほぼ同じ輪郭で、或いは、第１ディスク収納用欠部の内側部分に、開閉蓋用切り取り線が形成されていることを特徴とする。
また、本発明は、前記他方の複合厚紙の外側厚紙部分に、前記第２ディスク収納用欠部とほぼ同じ輪郭で、或いは、第２ディスク収納用欠部の内側部分に、開閉蓋用切り取り線が形成されていることを特徴とする。
また、本発明は、本の本文を構成する紙と共に製本される綴じ代が前記厚紙体に屈曲可能に連設されていることを特徴とする。
また、本発明は、前記ディスクがコンパクトディスクであり、コンパクトディスクは袋に挿入された状態で前記ディスク収納用欠部に収納されていることを特徴とする。
【０００８】
また、本発明は、前記ディスクを前記ディスク収納用欠部に収納した状態に保持する保持手段が設けられていることを特徴とする。
また、本発明は、前記保持手段が、粘着テープであることを特徴とする。
また、本発明は、前記厚紙体が、横長の一枚の複合厚紙が折り畳まれ接着されて構成されていることを特徴とする。
また、本発明は、前記ディスクがコンパクトディスクであり、前記第１、第２ディスク収納用欠部は天地方向に並べて配置され、第１ディスク収納用欠部に収納されるコンパクトディスクの下端と、第２ディスク収納用欠部に収納されるコンパクトディスクの上端が、平面視した場合に重なることを特徴とする。
【０００９】
【作用】
ディスク収納体は、外側厚紙と内側厚紙とからなる厚紙体で構成されており、安価に製作でき、コストダウンを図れる。
また、第１、第２ディスク収納用欠部は内側厚紙に形成されており、内側厚紙はディスクと同じ厚みかあるいはディスクよりも大きい厚みを有するため、ディスクを収納しても、ディスクの輪郭に対応した膨出部が生じることを防止でき、本を劣化させる不具合や、多数積み重ねることができない等の不具合を解消できる。
また、ディスクの外周部が、平面視した場合に、重なるように第１ディスク収納用欠部と第２ディスク収納用欠部が形成されているので、Ｂ５サイズの本の中に、記録面を損傷することなく二枚のコンパクトディスクを平面的に並べて収納することも可能となる。
【００１０】
【実施例】
以下、本発明の実施例を添付図面に従って説明する。
図１は実施例に係るディスク収納体の斜視図、図２はディスク収納体を裏面から見た斜視図、図３はディスク収納体の平面図を示す。
２はディスク収納体、ディスク収納体２には二枚のコンパクトディスク４が収納され、各コンパクトディスク４はそれぞれ袋６（図８参照）に挿入された状態で収納されている。
ディスク収納体２は、紙の間に綴じ込まれ製本されるもので、ディスク収納体２は、コンパクトディスク４が収納された収納本体８と、収納本体８の左側部に形成され紙と共に製本される綴じ代１０とで構成されている。
【００１１】
ディスク収納体２をその製作工程順に説明していく。
ディスク収納体２は、図４、図５に示す一枚の複合厚紙１２が折り畳まれ、重ね合わされて接着された厚紙体１４により構成されている。
図４は複合厚紙１２を内面から見た展開図、図５（Ａ）、（Ｂ）は図４のＡＡ線、ＢＢ線断面図を示す。
【００１２】
複合厚紙１２は図６に示す左右に横長の外側厚紙１６と、この外側厚紙１６の内面に貼着された図７に示す左右に横長の内側厚紙１８とから構成されている。
図６は外側厚紙１６をその内面から見た展開図、図７は内側厚紙１８をその内面から見た展開図を示す。
前記外側厚紙１６として、例えば、外面がコートされた厚紙やアート紙等が用いられ、内側厚紙１８として、例えば、芯紙や段ボール等が用いられる。
コンパクトディスク４の厚みがほぼ１．２ｍｍであることから、内側厚紙１８の厚みも１．２ｍｍ程度のものが用いられている。
図６、図７において仮想線２２は、この外側厚紙１６上に内側厚紙１８が貼着されて複合厚紙１２が構成された後に形成される中央折れ線を示し、中央折れ線２２により、外側厚紙１６と内側厚紙１８は左右方向の幅が等しい右半部１６０２、１８０２と左半部１６０４、１８０４に区切られる。
【００１３】
図６に示すように、外側厚紙１６の右半部１６０２のほぼ中央の上下には、コンパクトディスク４よりも小さい直径で、円形の第１露出用窓２４と第２露出用窓２６が上下に間隔をおいて形成されている。
外側厚紙１６の右半部１６０２の上半部と、左半部１６０４の下半部には、それぞれコンパクトディスク４よりも大きい輪郭で、上切り取り線２８０２と左右の切り取り線２８０４とからなる開閉蓋用切り取り線２８が形成され、上切り取り線２８０２と左右の切り取り線２８０４とが交わる角部には傾斜切り取り線２８０６が形成されている。尚、開閉蓋用切り取り線２８を破断することで左右の切り取り線２８０４の下端間を接続する直線部分を中心として開閉可能なコンパクトディスク取出用の開閉蓋３０が形成される。
さらに、右半部１６０２の右縁寄り部分には、上下に綴じ代用折れ線３２が形成され、また、左半部１６０４の左縁寄り部分には、上下にわたりスリット３４が形成され、綴じ代用折れ線３２の右側の部分とスリット３４の左側の部分にそれぞれ綴じ代用片体３６が構成されている。
【００１４】
図７に示すように、内側厚紙１８の右半部１８０２の上半部にはコンパクトディスク４よりも僅かに大きい輪郭で、矩形の第１ディスク収納用切り欠き４２が形成され、下半部には円形のディスク露出用窓４４が形成されている。
前記第１ディスク収納用切り欠き４２の下端とディスク露出用窓４４は、ディスク露出用窓４４の直径よりも小さい幅の切り欠き４６により繋がっている。
内側厚紙１８の左半部１８０４の下半部にはコンパクトディスク４よりも僅かに大きい輪郭で、矩形の第２ディスク収納用切り欠き４８が形成されている。
さらに、右半部１８０２の右縁寄り部分と左半部１８０４の左縁寄り部分には、上下にわたりスリット５０が形成され、スリット５０の外側の部分にそれぞれ綴じ代用片体５２が構成されている。
【００１５】
次に、ディスク収納体２の製作手順について説明する。
まず、図４及び図５に示すように、外側厚紙１６の内面に内側厚紙１８を貼着し、複合厚紙１２を構成する。
これにより第２露出用窓２６とディスク露出用窓４４が合致し、複合厚紙１２を内側厚紙１８側から見ると、第１ディスク収納用切り欠き４２内に開閉蓋用切り取り線２８と第１露出用窓２４が位置し、第２ディスク収納用切り欠き４８内に開閉蓋用切り取り線２８が位置する。
また、内側厚紙１８の右側のスリット５２の幅方向中央に綴じ代用折れ線３２が位置し、外側厚紙の左側のスリット３４と内側厚紙の左側のスリット５２が合致し、綴じ代用片体３６、５２が貼着される。
【００１６】
次に、外側厚紙１６側から切れ目を入れて中央折れ線２２を形成する。
次に、図８に示すように、一方の面が不織布により他方の面が透明性の合成樹脂フィルムにより形成された扁平の袋６にコンパクトディスク４を収容し、このコンパクトディスク４が収容された袋６を、透明性の合成樹脂フィルムがディスク露出用窓２４、２６に位置するように、各第１、第２ディスク収納用切り欠き４２、４８内に載置する。
次に、例えば、粘着テープ５４により袋６の上下左右の縁を内側厚紙１８上に貼着する。
【００１７】
次に、図８に仮想線（イ）で示すように、内側厚紙１８の内面でスリット５０の左側の綴じ代用片体５２部分に糊を塗布し、スリット５２の右側部分と中央折れ線２２の左側部分、天地部分に糊を塗布する。或は両面テープを貼着する。
次に、中央折れ線２２を境にして、内側厚紙１８が向かい合うように複合厚紙１２を折り畳んで重ね、糊、或は両面テープで接着する。
これにより収納本体８と綴じ代１０からなるディスク収納体２が得られ、綴じ代１０は、綴じ代用折れ線３２を境に収納本体８に対して屈曲可能である。
【００１８】
次に、綴じ代１０が本文と共に表紙の背に取着され、ディスク収納体２の天地と小口側が、本文と共に、或は、本文と表紙と共に三方断裁され、ＣＤ付き本が得られる。
ディスク収納体２からコンパクトディスク４を取り出す場合には、開閉蓋用切り取り線２８を破断し、開閉蓋３０を持ち上げる。この場合、傾斜切り取り線２８０６部分を押すと、上切り取り線２８０２と左右の切り取り線２８０４とが交わる角部が抜け、この部分に指を挿入することで開閉蓋３０の持ち上げが簡単になされる。
そして、開閉蓋３０が持ち上げられることにより開閉蓋用切り取り線２８の内側に開口３００２が形成され、コンパクトディスク４はこの開口３００２から取り出される。
【００１９】
本実施例によれば、ディスク収納体２は、外側厚紙１６と内側厚紙１８とからなる複合厚紙１２が重ね合わされて構成されており、従って、安価に製作でき、コストダウンを図ることができる。
また、コンパクトディスク４は、第１、第２ディスク収納用切り欠き４２、４８に収納され、これら切り欠き４２、４４が形成された内側厚紙１８の厚みは、コンパクトディスク４の厚みと同じか、或はコンパクトディスク４の厚み以上の寸法を有するため、コンパクトディスク４が収納されたディスク収納体２を本に綴じ込んだ場合であっても、コンパクトディスク４の上面及び下面に位置する紙にコンパクトディスク４の輪郭に沿った線が形成され、本を劣化させる不具合や、束ねて取り扱う際にコンパクトディスク４が収納された部分が他の部分よりも厚くなり、多数積み重ねることができず取り扱いが面倒になる不具合を解消できる。
【００２０】
また、各第１、第２ディスク収納用切り欠き４２、４８内のコンパクトディスク４は、それぞれ第１、第２ディスク収納用切り欠き４２、４８により、コンパクトディスク４の厚み方向と直交する方向の動きが阻止された状態で収納される。
実施例では粘着テープ５４により袋６あるいはコンパクトディスク４を押えているため、第１、第２ディスク収納用切り欠き４２、４８内でのコンパクトディスク４の動きはより効果的に阻止されている。
【００２１】
また、第１ディスク収納用切り欠き４２に収納されたコンパクトディスク４の表面には、第１ディスク露出用窓２４の周囲の外側厚紙１６が位置し、コンパクトディスク４の裏面の下端を除く部分には、内側厚紙１８の左半部１８０４が位置し、コンパクトディスク４の裏面の下端には、第２ディスク収納用切り欠き４８に収納されたコンパクトディスク４の表面が位置する。
そして、第１ディスク収納用切り欠き４２内のコンパクトディスク４の裏面が臨む、内側厚紙１８の左半部１８０４と第２ディスク収納用切り欠き４８内のコンパクトディスク４の上端の表面は、ほぼ同一平面である。あるいは、第１ディスク収納用切り欠き４２内のコンパクトディスク４の裏面に対して、第２ディスク収納用切り欠き４８内のコンパクトディスク４の表面のほうが内側厚紙１８よりも僅かに窪んでいる。
同様に、第２ディスク収納用切り欠き４８に収納されたコンパクトディスク４の表面に対して、ディスク露出用窓４４の周囲の内側厚紙１８と第１ディスク収納用切り欠き４２内のコンパクトディスク４の下端の裏面は、ほぼ同一平面である。あるいは、第２ディスク収納用切り欠き４８に収納されたコンパクトディスク４の表面に対して、第１ディスク収納用切り欠き４２内のコンパクトディスク４の裏面のほうが内側厚紙１８よりも僅かに窪んでいる。
そのため、コンパクトディスク４はその記録面である裏面が傷付くことなく、第１ディスク収納用切り欠き４２内で厚み方向に移動不能に収納される。
【００２２】
また、第２ディスク収納用切り欠き４８に収納されたコンパクトディスク４の裏面には、外側厚紙１６の左半部１６０４が位置し、従って、コンパクトディスク４はその記録面である裏面が傷付くことなく、第２ディスク収納用切り欠き４８内で厚み方向に移動不能に収納される。
従って、平面視した場合に、図３に示すように、記録面を傷付けることなく二枚のコンパクトディスク４の外周部を重ねて収納でき、Ｂ５サイズの本に二枚のコンパクトディスク４を平面的に並べて収納することが可能となる。
【００２３】
また、展開された複合厚紙１２の左半部と右半部にそれぞれコンパクトディスク４を載置することで二枚のコンパクトディスク４を収納するので、二枚のコンパクトディスク４の外周部が重ねられて収納されるにも拘らず、その収納作業を簡単に行うことが可能となる。
【００２４】
また、コンパクトディスク４を取り出す際には、開閉蓋用切り取り線２８を破断するが、開閉蓋用切り取り線２８の下方にはそれぞれ第１、第２ディスク収納用切り欠き４２、４８が位置しており空間が形成されているため、開閉蓋用切り取り線２８部分を押さえることで、或いは、傾斜切り取り線２８０６部分を押えることで、開閉蓋用切り取り線２８や傾斜切り取り線２８０６部分の破断が簡単になされる。
従って、コンパクトディスク４の取り出しを簡単に行うことができる。
【００２５】
尚、前記第１，第２実施例では袋６を用いた場合について説明したが、袋６は省略することも可能である。
また、実施例では、ディスクがコンパクトディスクである場合について説明したが、フロッピーディスク等のような他の記録媒体にも本発明は無論適用可能である。
【００２６】
【発明の効果】
以上の説明で明らかなように本発明によれば、コストダウンを図り、本を劣化することなくディスクを収納でき、取り扱いも簡単になされ、更には、記録面を傷付けることなくＢ５サイズの本に二枚のコンパクトディスクを平面的に並べて収納することが可能となる。
【図面の簡単な説明】
【図１】ディスク収納体の斜視図である。
【図２】ディスク収納体を裏面から見た斜視図である。
【図３】ディスク収納体の平面図である。
【図４】複合厚紙を内面から見た展開図である。
【図５】（Ａ）、（Ｂ）はそれぞれ図４のＡＡ線、ＢＢ線断面図を示す。
【図６】外側厚紙をその内面から見た展開図である。
【図７】内側厚紙をその内面から見た展開図である。
【図８】複合厚紙の第１、第２ディスク収納用切り欠き内にコンパクトディスクを載せた状態の平面図である。
【図９】図３のＡＡ断面図である。
【符号の説明】
２……ディスク収納体、４……コンパクトディスク、６……袋、８……収納本体、１０……綴じ代、１２……複合厚紙、１４……厚紙体、１６……外側厚紙、１８……内側厚紙、２２……中央折れ線、２４……第１露出用窓、２６……第２露出用窓、２８……開閉蓋用切り取り線、３０……開閉蓋、４２……第１ディスク収納用切り欠き、４８……第１ディスク収納用切り欠き。
【図１】
0003632966.tif 000002
【図２】
0003632966.tif 000003
【図３】
0003632966.tif 000004
【図４】
0003632966.tif 000005
【図５】
0003632966.tif 000006
【図６】
0003632966.tif 000007
【図７】
0003632966.tif 000008
【図８】
0003632966.tif 000009
【図９】
0003632966.tif 000010